(57)【要約】【解決課題】  容易に洗浄を行うことができる生簀を提供する。【解決手段】  直方体の辺を構成するフレーム３と，フレーム３の右側面５，底面７及び左側面９を覆う第１のネット１１と，フレーム３の正面１３，底面７及び背面１５を覆う第２のネット１７と第１のネット１１を供給する第１のネット供給部１９と，第２のネット１７を供給する第２のネット供給部２１とを，含む魚類飼育用生簀であり，第１のネット１１又は第２のネット１７を更新する場合は第１のネット供給部１９及び第２のネット供給部２１から，第１のネット１１又は第２のネット１７をそれぞれ引き出せばよい。【選択図】図１
2019139067.tif 000002
【特許請求の範囲】
【請求項１】
直方体の辺を構成するフレーム（３）と，
前記フレーム（３）の右側面（５），底面（７）及び左側面（９）を覆う第１のネット（１１）と，
前記フレーム（３）の正面（１３），底面（７）及び背面（１５）を覆う第２のネット（１７）と，
を含む，魚類飼育用生簀であって，
第１のネット（１１）を供給する第１のネット供給部（１９）と，
第２のネット（１７）を供給する第２のネット供給部（２１）と，
を，さらに含む，魚類飼育用生簀。
【請求項２】
請求項１に記載の魚類飼育用生簀であって，
前記第１のネット（１１）は，前記右側面（５），前記底面（７）及び前記左側面（９）を覆うために必要な長さをＬ１［ｍ］としたときに，２Ｌ１［ｍ］以上の長さを有し，第１のネット供給部（１９）にロール状に収容された部分を有し，
第２のネット（１７）は，前記正面（１３），前記底面（７）及び前記背面（１５）を覆うために必要な長さをＬ２［ｍ］としたときに，２Ｌ２［ｍ］以上の長さを有し，第２のネット供給部（２１）にロール状に収容された部分を有する，
魚類飼育用生簀。
【請求項３】
請求項１に記載の魚類飼育用生簀であって，
前記フレーム（３）は，前記底面（７）から天面（２３）方向へ延びる４本の第１のＬ字枠（３１，３３，３５，３７）を有し，
前記魚類飼育用生簀は，
４本の第１のＬ字枠（３１，３３，３５，３７）を覆うことができる４本の外部枠（４１，４３，４５，４７）をさらに有し，
前記４本の外部枠（４１，４３，４５，４７）を，４本の第１のＬ字枠（３１，３３，３５，３７）に密着させた状態では，
４本の第１のＬ字枠（３１，３３，３５，３７）を，第１のネット（１１）及び第２のネット（１７）を挟んだ状態で覆うことで，第１のネット（１１）及び第２のネット（１７）を４本の第１のＬ字枠（３１，３３，３５，３７）に固定し，
前記４本の外部枠（４１，４３，４５，４７）を，４本の第１のＬ字枠（３１，３３，３５，３７）から解放した状態では，
第１のネット（１１）及び第２のネット（１７）を４本の第１のＬ字枠（３１，３３，３５，３７）から解放し，これにより，第１のネット供給部（１９）から第１のネット（１１）を供給することで，第１のネット（１１）を更新でき，第２のネット供給部（２１）から第２のネット（１７）を供給することで，第２のネット（１７）を更新できる，
魚類飼育用生簀。
【請求項４】
請求項１に記載の魚類飼育用生簀であって，
魚類の稚魚を飼育するための魚類飼育用生簀。
【発明の詳細な説明】
【技術分野】
【０００１】
本発明は魚類飼育用生簀に関する。
【背景技術】
【０００２】
特開２０１５−８４７４２号公報には，軟質網地が張設された生簀が記載されている。【０００３】
特開２０１６−５４６７９号公報には，捕捉布を移動及び洗浄できる水槽設備が記載されている。この捕捉布は，水槽の底面に敷かれて，残餌や糞を回収するものである。
【先行技術文献】
【特許文献】
【０００４】
【特許文献１】特開２０１５−８４７４２号公報
【特許文献２】特開２０１６−５４６７９号公報
【発明の概要】
【発明が解決しようとする課題】
【０００５】
従来の生簀は，残餌や糞の洗浄が大変であった。そこで，残餌や糞の洗浄を容易に行うことができる生簀が望まれる。
【課題を解決するための手段】
【０００６】
本発明は，基本的には，生簀を構成する周囲部分をネットにより構成し，ネットを供給可能とすることで，残餌や糞で汚れた生簀を容易にきれいな状態にすることができるという知見に基づく。【０００７】
この発明は，魚類飼育用生簀に関する。この魚類飼育用生簀は，直方体の辺を構成するフレーム３と，フレーム３の右側面５，底面７及び左側面９を覆う第１のネット１１と，
フレーム３の正面１３，底面７及び背面１５を覆う第２のネット１７と，を含む，魚類飼育用生簀である。
この魚類飼育用生簀は，第１のネット１１を供給する第１のネット供給部１９と，第２のネット１７を供給する第２のネット供給部２１とを，さらに含む。【０００８】
使用した第１のネット１１や第２のネット１７が汚れた場合は，汚れたネットを回収し，第１のネット供給部１９と，第２のネット供給部２１からそれぞれ第１のネット１１や第２のネット１３を供給し，新たな壁面を構成するようにする。このようにすることで，汚れたネットを回収し，生簀をきれいな状態に維持することができることとなる。【０００９】
この魚類飼育用生簀の好ましいものは，第１のネット１１は，フレーム３の右側面５，底面７及び左側面９を覆うために必要な長さをＬ１［ｍ］としたときに，２Ｌ１［ｍ］以上の長さを有し，第１のネット供給部１９にロール状に収容された部分を有する。また，第２のネット１７は，フレーム３の正面１３，底面７及び背面１５を覆うために必要な長さをＬ２［ｍ］としたときに，２Ｌ２［ｍ］以上の長さを有し，第２のネット供給部２１にロール状に収容された部分を有する。【００１０】
この場合，第１のネット１１や第２のネット１３を引くことで，第１のネット供給部１９と，第２のネット供給部２１からそれぞれ第１のネット１１や第２のネット１３が供給されることになる。このようにして容易にネットを張り替えることができることとなる。【００１１】
この魚類飼育用生簀の好ましいものは，フレーム３は，底面７から天面２３方向へ延びる４本の第１のＬ字枠３１，３３，３５，３７を有するものである。そして，４本の第１のＬ字枠３１，３３，３５，３７を覆うことができる４本の外部枠４１，４３，４５，４７をさらに有する者が好ましい。
４本の外部枠４１，４３，４５，４７を，４本の第１のＬ字枠３１，３３，３５，３７に密着させた状態では，
４本の第１のＬ字枠３１，３３，３５，３７を，第１のネット１１及び第２のネット１７を挟んだ状態で覆うことで，第１のネット１１及び第２のネット１７を４本の第１のＬ字枠３１，３３，３５，３７に固定できる。
一方，４本の外部枠４１，４３，４５，４７を，４本の第１のＬ字枠３１，３３，３５，３７から解放した状態では，
第１のネット１１及び第２のネット１７を４本の第１のＬ字枠３１，３３，３５，３７から解放し，これにより，第１のネット供給部１９から第１のネット１１を供給することで，第１のネット１１を更新でき，第２のネット供給部２１から第２のネット１７を供給することで，第２のネット１７を更新できる。【００１２】
この魚類飼育用生簀は，好ましくは魚類の稚魚を飼育するために用いられる。
【発明の効果】
【００１３】
この発明によれば，容易に洗浄を行うことができる生簀を提供できる。
【図面の簡単な説明】
【００１４】
【図１】図１は，左側面に第１のネット供給部が存在する生簀の例を示す概念図である。
【図２】図２は，本発明の生簀の正面図である。
【図３】図３は，本発明の生簀の側面図である。
【図４】図４は，本発明の生簀の上面図である。
【図５】図５は，ネット供給部の例を示す概念図である。
【図６】図６は，外部枠を開状態とした際の例を示す概念図である。
【図７】図７は，外部枠を閉状態とした際の例を示す概念図である。
【図８】図８は，作成した魚類飼育用生簀の外観を示す図面に替わる写真である。
【図９】図９は，作成した魚類飼育用生簀の角部分を示す図面に替わる写真である。
【図１０】図１０は，魚類飼育用生簀を分解した様子を示す図面に替わる写真である。
【図１１】図１１は，魚類飼育用生簀を分解した様子を示す図面に替わる写真である。
【発明を実施するための形態】
【００１５】
以下，図面を用いて本発明を実施するための形態について説明する。本発明は，以下に説明する形態に限定されるものではなく，以下の形態から当業者が自明な範囲で適宜修正したものも含む。
【００１６】
この発明は，魚類飼育用生簀に関する。この生簀は，主に生簀より広い収容容器又は収用槽，飼育施設，池，又は海といった魚類の生育環境に設置され，生育環境と生簀との間で，飼育水のやり取りを行うことができ，生簀内の魚類は，生育環境へ逃げ出さないか逃げ出しにくくされている。魚類の例は，ウナギ目魚類（例えば，ウナギ，及びウナギ目魚類仔魚）である。この生簀の用途として，魚類の仔稚魚の飼育が好ましい。
【００１７】
図１は，左側面に第１のネット供給部が存在する生簀の例を示す概念図である。図１に示されるように，この魚類飼育用生簀は，直方体の辺を構成するフレーム３を有する。直方体は，この分野において箱型と認識されれば，厳密な意味の直方体でなくてもよい。フレーム３を構成する直方体の大きさは，対象となる魚類に合わせて調整すればよい。１辺の長さの例は，５ｃｍ以上１０ｍ以下であり，１０ｃｍ以上９０ｃｍ以下でもよいし，１５ｃｍ以上６０ｃｍ以下でもよいし，５０ｃｍ以上２ｍ以下でもよい。フレームは，直方体の辺を形作る枠であってもよい。フレームは，金属やプラスチックで形成してもよい。生簀が重い場合は，生育環境中に浮くように生簀を何らかの手段で指示すればよい。生簀が水に浮く場合は，生簀が自由に移動する事態を防止するため，生簀を生育環境の縁やブイなどにつなぎとめておいてもよい。
【００１８】
フレームには，魚類の育成に必要な金属が溶出されるように制御されていてもよい。そのような金属の例は，鉄分である。フレームが，硫酸第一鉄，塩化第一鉄又といった二価の鉄イオン源を含むコーティング層を有するものは，本発明の好ましい態様である。このようなコーティングを有すれば，二価の鉄イオンを安定して供給できるとともに，過剰なリンイオンを沈殿物として除去できることとなる。
【００１９】
図２は，本発明の生簀の正面図である。図３は，本発明の生簀の側面図である。図４は，本発明の生簀の上面図である。図２〜図４に示されるように，この魚類飼育用生簀は，第１のネット１１と，第２のネット１７とを有する。第１のネット１１は，フレーム３の右側面５，底面７及び左側面９を覆うネットである。第２のネット１７は，フレーム３の正面１３，底面７及び背面１５を覆うネットである。図２及び図３に示す例では，第１のネットを回収する第１のネット回収部２０と，第２のネットを回収する第２のネット回収部２２とが設けられている。
ネットの材質やネットの目の大きさは，飼育する魚類に合わせて適宜調整すればよい。ネットの目合の例は，１０μｍ以上５ｍｍ以下であり，５０μｍ以上１ｍｍ以下でもよいし，５０μｍ以上２００μｍ以下でも，２００μｍ以上１ｍｍ以下でもよい。ネットには，必要な物性を有する素材を塗布しておいてもよい。第１のネット１１と第２のネット１３は，隙間やたわみができないように，フレーム３にテンション（張力）をもって接していることが好ましい。このネットは，後述するＬ字枠により挟まれており，フレームと張力をもって接するようにされることが好ましい。
【００２０】
この魚類飼育用生簀は，第１のネット１１を供給する第１のネット供給部１９と，第２のネット１７を供給する第２のネット供給部２１とを，さらに含む。使用した第１のネット１１や第２のネット１３が汚れた場合は，汚れたネットを回収し，第１のネット供給部１９と，第２のネット供給部２１からそれぞれ第１のネット１１や第２のネット１３を供給し，新たな壁面を構成するようにする。このようにすることで，汚れたネットを回収し，生簀をきれいな状態に維持することができることとなる。
【００２１】
図５は，ネット供給部の例を示す概念図である。この魚類飼育用生簀の好ましいものは，第１のネット１１は，フレーム３の右側面５，底面７及び左側面９を覆うために必要な長さをＬ１［ｍ］としたときに，２Ｌ１［ｍ］以上の長さを有し，第１のネット供給部１９にロール状に収容された部分を有する。つまり，生簀を覆った残りの部分は，ネット供給部に収容されており，ネットを交換（更新）する際には，ネット供給部から新たなネットが供給され，生簀を覆うこととなる。そのような観点から，第１のネット１１は，２Ｌ１［ｍ］以上１００Ｌ１［ｍ］以下の長さを有してもよいし，２．１Ｌ１［ｍ］以上２０Ｌ１［ｍ］以下の長さを有してもよいし，２．１Ｌ１［ｍ］以上１０Ｌ１［ｍ］以下の長さを有してもよい。第１のネット供給部１９に収容されていない端の第１のネット１１を引っ張ることにより，第１のネット供給部１９から第１のネット１１の新しい部分が供給されることとなる。この際，Ｌ字枠がある場合は，Ｌ字枠を開放し，第１のシート１１がフレームの側面や底面に沿って移動できるようにすることが好ましい。第２のネット１７は，フレーム３の正面１３，底面７及び背面１５を覆うために必要な長さをＬ２［ｍ］としたときに，２Ｌ２［ｍ］以上の長さを有し，第２のネット供給部２１にロール状に収容された部分を有する。第２のネットも第１のネットと同様である。ネットは，適切な長さごとに切り取り線が設けられており，ネットを取り外す際に，その切り取り線に沿って使用済み部分を切り離すことができるようにされていてもよい。また，切り取り線に変えて，適切な長さごとに切り離し部分（例えばジッパー）を設け，使用済み部分を切り離すことができるようにされていてもよい。また，ネット回収部２０，２２には，使用済みのネットを切り離すための刃が設けられてもよい。このような刃が設けられていれば，使用済みのネットを刃により切断できる。
【００２２】
この場合，第１のネット１１や第２のネット１３を引くことで，第１のネット供給部１９と，第２のネット供給部２１からそれぞれ第１のネット１１や第２のネット１３が供給されることになる。このようにして容易にネットを張り替えることができることとなる。
【００２３】
この魚類飼育用生簀の好ましいものは，フレーム３は，底面７から天面２３方向へ延びる４本の第１のＬ字枠３１，３３，３５，３７を有するものである。図１に示されるように，Ｌ字枠の上部は，フレーム３の上部横枠部分から伸びて存在していてもよい。Ｌ字枠は，直方体を構成する底面から垂直に延びる４本の辺を角部分に挟むように，底面から天面方向へ延びるものであってもよい。Ｌ字枠の一辺の長さ（幅）は，フレームの大きさにより適宜調整すればよい。Ｌ字枠の一辺の長さ（幅）の例は，１ｃｍ以上１ｍ以下であり，１ｃｍ以上１０ｃｍ以下でもよいし，２ｃｍ以上１０ｃｍ以下でもよいし，５ｃｍ以上１５ｃｍ以下でもよい。底面のL字枠にも外部枠４２，４４が設けられ，底面と外部枠の間にネットが敷設されるようにすることが好ましい。
【００２４】
この魚類飼育用生簀の好ましいものは，４本の第１のＬ字枠３１，３３，３５，３７を覆うことができる４本の外部枠４１，４３，４５，４７をさらに有する。第１の外部枠４１は，例えば，フレーム３のうち，右側面５の底面に位置するものと，ヒンジを介して，開閉可能に取り付けられている。このため，第１の外部枠４１は，右側面５に位置する２つのＬ字枠の部分を覆うことや，解放することができる。なお，フレーム３のうち，右側面５の底面に位置するものと，ヒンジとの間に第１のシートが通過するようにすればよい。このようにすることで，外部枠の解放時には，第１のシートを移動させることができる。このような気候は，第２〜第４の外部枠４３，４５，４７も同様である。
【００２５】
すると，４本の外部枠４１，４３，４５，４７が，４本の第１のＬ字枠３１，３３，３５，３７に密着した状態（外部枠とＬ字枠が閉じた状態）では，
４本の第１のＬ字枠３１，３３，３５，３７を，第１のネット１１及び第２のネット１７を挟んだ状態で覆うことで，第１のネット１１及び第２のネット１７を４本の第１のＬ字枠３１，３３，３５，３７に固定する。
４本の外部枠４１，４３，４５，４７は，４本の第１のＬ字枠３１，３３，３５，３７から解放した状態（外部枠とＬ字枠が開いた状態）では，
第１のネット１１及び第２のネット１７を４本の第１のＬ字枠３１，３３，３５，３７から解放し，これにより，第１のネット供給部１９から第１のネット１１を供給することで，第１のネット１１を更新でき，第２のネット供給部２１から第２のネット１７を供給することで，第２のネット１７を更新できる。
【００２６】
次に，本発明の魚類飼育用生簀の使用例について説明する。この例は，２つのネット供給部１９，２１を有するとともに，４本のＬ字枠３１，３３，３５，３７と４つの外部枠４１，４３，４５，４７を有する魚類飼育用生簀である。
はじめに４つの外部枠４１，４３，４５，４７を開状態とし，フレームの左右側面５，９，正面１３及び背面１５から，外部枠４１，４３，４５，４７と開放する。図６は，外部枠４１を開状態とした際の例を示す概念図である。その状態で，第１のネット１１を第１のネット供給部１９から引き出す。そして，例えば，第１のネット供給部１９が右側面５側に取り付けられている場合は，第１のネット１１を右側面５，底面７及び左側面９を覆うようにする。第１のネット供給部１９は左側面９側に取り付けられていてもよい。次に，第１の外部枠４１は，右側面５において閉状態（フレームの右側面５と第１のネットを挟んで密着した状態）とする。図７は，外部枠４１を閉状態とした際の例を示す概念図である。その後，第１のネットを張った状態で，第２の外部枠４３を，左側面９において閉状態とする。このようにして，第１のネット１１が，右側面５，底面７及び左側面９を覆うこととなる。第２のシートについても同様である。すると，魚類飼育用生簀が完成する。
【００２７】
完成した魚類飼育用生簀を飼育環境系（例えば大型水槽や海）に設置する。魚類飼育用生簀に飼育対象となる魚類を入れて，飼育する。飼育後，所定期間後又は魚類飼育用生簀が汚れた際には，例えば，飼育環境系に魚類飼育用生簀を入れたまま第１及第２の外部枠を開状態とし，第１のシートを更新した後に，第１及第２の外部枠を閉状態とする。第２のシートについても同様である。このようにして，生簀のシートがその場で交換される。
【実施例】
【００２８】
魚類飼育用生簀
図８は，作成した魚類飼育用生簀の外観を示す図面に替わる写真である。この生簀は，図８に示されるように，ロールを回転させることで側面のネットを引出し，更新することができる。図９は，作成した魚類飼育用生簀の角部分を示す図面に替わる写真である。図９に示されるように，このロールにはロールから突き出たハンドルが存在し，ハンドルを回転させることでロールを回転させ，ネットを引き出すことにより更新できるようにされている。また，枠の外側に，バインダーがあり，ネットを外枠に密着させる枠として機能している。このバインダーは，図９に示されるように外枠の下部分を軸として，開閉できるようにされている。これによりネットを解放することや，ネットを外枠に固定することができる。【００２９】
図１０及び図１１は，魚類飼育用生簀を分解した様子を示す図面に替わる写真である。図１０及び図１１に示されるように，この例は，フレーム枠と，バインダーとが取り外し可能とされている。フレーム枠の外側にバインダーを位置させる。バインダーは，ネットを挟み込んで，フレーム枠に固定させることができる。また，バインダーを構成する枠をフレーム枠から解放することで，ネットを開放し，ローラを用いて，ネットを移動させることができるようにされている。魚類飼育用生簀を用いてネットを固定する際には，バインダーの中にフレーム枠を入れる。バインダーは底面に繋がる形で4側面に存在し，各面共に上・左右・下側を押さえるバインド部分は繋がっている。底面は，フレーム枠をはめ込むことでネット間を圧着させることができる。
【産業上の利用可能性】
【００３０】
本発明は，生簀に関するので，養殖業や，観賞魚産業において利用されうる。
【符号の説明】
【００３１】
３  フレーム
５  右側面
７  底面
９  左側面
１１  第１のネット
１３  正面
１５  背面
１７  第２のネット
１９  第１のネット供給部
２１  第２のネット供給部
【図１】
2019139067.tif 000003
【図２】
2019139067.tif 000004
【図３】
2019139067.tif 000005
【図４】
2019139067.tif 000006
【図５】
2019139067.tif 000007
【図６】
2019139067.tif 000008
【図７】
2019139067.tif 000009
【図８】
2019139067.tif 000010
【図９】
2019139067.tif 000011
【図１０】
2019139067.tif 000012
【図１１】
2019139067.tif 000013
【国際調査報告】
2019139067.tif 000014
2019139067.tif 000015
2019139067.tif 000016
2019139067.tif 000017